(57)【要約】【課題】使用者が表示器の表示を見ることで乾燥度合を把握でき、使い勝手を向上できる衣類乾燥機を提供する。【解決手段】本実施形態の衣類乾燥機は、給気口および排気口を有し内部に被乾燥物が収容される乾燥室と、この乾燥室の外部に設けられ一端部が給気口に接続されると共に他端部が排気口に接続された循環風路と、乾燥室内の空気を循環風路を通して循環させる送風機と、この送風機により循環される循環空気を加熱する加熱手段、および循環空気を冷却除湿する除湿手段を有し、送風機と協働して被乾燥物を乾燥させる乾燥手段と、乾燥運転時に被乾燥物の乾燥度合を判定する乾燥度合判定手段と、乾燥運転時に乾燥度合判定手段が判定した乾燥度合を表示する表示器と、を備える。【選択図】図５
2014100174.tif 000002
【特許請求の範囲】
【請求項１】
給気口および排気口を有し内部に被乾燥物が収容される乾燥室と、
この乾燥室の外部に設けられ一端部が前記給気口に接続されると共に他端部が前記排気口に接続された循環風路と、
前記乾燥室内の空気を前記循環風路を通して循環させる送風機と、
この送風機により循環される循環空気を加熱する加熱手段、および前記循環空気を冷却除湿する除湿手段を有し、前記送風機と協働して前記被乾燥物を乾燥させる乾燥手段と、
乾燥運転時に前記被乾燥物の乾燥度合を判定する乾燥度合判定手段と、
前記乾燥運転時に前記乾燥度合判定手段が判定した乾燥度合を表示する表示器と、を備えたことを特徴とする衣類乾燥機。
【請求項２】
前記表示器において乾燥運転終了時の乾燥度合を設定可能であることを特徴とする請求項１記載の衣類乾燥機。
【請求項３】
前記乾燥度合の設定はダイヤルにて行うことが可能であることを特徴とする請求項２記載の衣類乾燥機。
【請求項４】
前記乾燥手段は、圧縮機と、前記加熱手段を構成する凝縮器と、前記除湿手段を構成する蒸発器を有するヒートポンプユニットにより構成され、
前記給気口から前記乾燥室内へ供給される空気の温度を検出する給気側温度検出手段と、前記排気口から前記循環風路側へ排出される空気の温度を検出する排気側温度検出手段と、前記蒸発器の温度を検出する蒸発器温度検出手段と、を備え、
前記乾燥度合判定手段は、前記給気側温度検出手段の検出温度と前記排気側温度検出手段の検出温度との間の温度差と前記蒸発器温度検出手段の検出温度に基づき前記被乾燥物の乾燥度合を判定することを特徴とする請求項１から３のいずれか一項記載の衣類乾燥機。
【請求項５】
前記乾燥手段は、圧縮機と、前記加熱手段を構成する凝縮器と、前記除湿手段を構成する蒸発器を有するヒートポンプユニットにより構成され、
前記送風機と前記圧縮機の合計積算電力量を検出する合計積算電力量検出手段を備え、
前記乾燥度合判定手段は、前記合計積算電力量検出手段の検出電力量に基づいて前記被乾燥物の乾燥度合を判定することを特徴とする請求項１から３のいずれか一項記載の衣類乾燥機。
【請求項６】
前記乾燥室に収容された被乾燥物の重量を検出する重量検出手段を備え、
前記乾燥度合判定手段は、前記重量検出手段の検出重量の変化に基づいて前記被乾燥物の乾燥度合を判定することを特徴とする請求項１から３のいずれか一項記載の衣類乾燥機。
【請求項７】
前記表示器は情報端末機であることを特徴とする請求項１から６のいずれか一項記載の衣類乾燥機。
【請求項８】
前記情報端末機から運転条件の設定操作が可能であることを特徴とする請求項７記載の衣類乾燥機。
【発明の詳細な説明】
【技術分野】
【０００１】
本発明の実施形態は、衣類乾燥機に関する。
【背景技術】
【０００２】
衣類乾燥機、例えば洗濯〜乾燥まで行うことができるドラム式の洗濯乾燥機で、洗濯〜乾燥まで行うコースを設定した場合において、洗濯槽および乾燥室を兼ねる回転槽（ドラム）内に衣類を投入した状態で運転をスタートさせると、まず投入された衣類の重量を検出するとともに、洗濯乾燥機が設置された部屋の温度を検出し、これらの検出結果に基づき制御手段が、運転終了までにかかる初期の目安時間を算出し、その算出した目安時間が操作パネルの表示部に表示されるものがある。このとき、使用者は、運転コースとして標準コースの他、乾燥念入りコース（過乾燥状態）、アイロンコース（生乾き状態）等のコースを設定することができる。設定されたコースによって前記表示部に表示される初期の目安時間も変わる。その目安時間は残り時間の表示でもあり、その時間の表示は、運転の行程が進行することに伴い減少していく。使用者は、その時間表示を見ることで、運転終了時間を予測することができる。
【０００３】
近年、このような洗濯乾燥機を使用する使用者によっては、ある程度乾燥させてから部屋干しにしたい、あるいは縮み易い衣類やアイロン仕上げしたい衣類を途中で取り出したい等、乾燥機としての使用方法が多様化している。しかしながら、使用者にとっては、残り時間の表示を見ても衣類の乾燥率がどの程度まで進んでいるのかがわからない。このため、その都度、運転を一時停止させ、扉を開けて衣類に直接手で触れてみて乾燥度合を確認するのが現状であった。
【先行技術文献】
【特許文献】
【０００４】
【特許文献１】特開平１１−２４４５７５号公報
【特許文献２】特開平１０−２３５０８０号公報
【発明の概要】
【発明が解決しようとする課題】
【０００５】
そこで、使用者が表示器の表示を見ることで乾燥度合を把握でき、使い勝手を向上できる衣類乾燥機を提供する。
【課題を解決するための手段】
【０００６】
本実施形態の衣類乾燥機は、給気口および排気口を有し内部に被乾燥物が収容される乾燥室と、この乾燥室の外部に設けられ一端部が前記給気口に接続されると共に他端部が前記排気口に接続された循環風路と、前記乾燥室内の空気を前記循環風路を通して循環させる送風機と、この送風機により循環される循環空気を加熱する加熱手段、および前記循環空気を冷却除湿する除湿手段を有し、前記送風機と協働して前記被乾燥物を乾燥させる乾燥手段と、乾燥運転時に前記被乾燥物の乾燥度合を判定する乾燥度合判定手段と、前記乾燥運転時に前記乾燥度合判定手段が判定した乾燥度合を表示する表示器と、を備える。
【図面の簡単な説明】
【０００７】
【図１】第１実施形態による衣類乾燥機（洗濯乾燥機）の外観斜視図
【図２】衣類乾燥機の概略構成について部分的に破断して示す縦断側面図
【図３】衣類乾燥機の概略構成について部分的に破断して示す縦断背面図
【図４】ヒートポンプユニットによる冷凍サイクルと循環風路の関係を示す概略構成図
【図５】操作パネルにおける表示部付近の正面図を示すもので、（ａ）は運転開始前において乾燥終了時の乾燥度合を設定する際の表示部の表示例を示す図、（ｂ）は乾燥行程中での表示部の表示例を示す図
【図６】制御系の概略構成を示すブロック図
【図７】乾燥運転時における各部位の温度変化と圧縮機の周波数の変化を示す図
【図８】第２実施形態による図６相当図
【図９】携帯端末機の表示部の表示例を示す図
【図１０】第３実施形態による図６相当図
【図１１】衣類重量毎の、圧縮機と送風機の合計積算電力量と乾燥率（乾燥度合）との関係を示す図
【図１２】第５実施形態による図２相当図
【発明を実施するための形態】
【０００８】
以下、複数の実施形態による衣類乾燥機を図面に基づいて説明する。なお、各実施形態において実質的に同一の構成部位には同一の符号を付し、説明を省略する。
（第１実施形態）
まず、第１実施形態について図１〜図７を参照して説明する。
【０００９】
図１および図２に示すように、衣類乾燥機としての洗濯乾燥機１は、外箱２、水槽３、回転槽４、モータ５、および扉６を備えている。なお、本実施形態において、外箱２の扉６側を洗濯乾燥機１の前側として説明する。この洗濯乾燥機１は、ヒートポンプ式の乾燥機能を有し、回転槽４に連結された回転軸７が前後方向に指向した、いわゆるドラム式洗濯乾燥機である。外箱２は、鋼板などによってほぼ矩形の箱状に形成されていて、前面が前下がりにやや傾斜している。その傾斜した前面に、衣類の出入口８が形成されているとともに、その出入口８を開閉する扉６が設けられている。扉６は、図示しないヒンジを介して前後方向へ回動可能とされている。
【００１０】
水槽３は、外箱２の内部に収容され、図示しないサスペンションを介して弾性的に支持されている。回転槽４は、水槽３の内部に収容されている。水槽３および回転槽４は、いずれも円筒状に形成されている。水槽３は、前端部に開口部１０が形成され、後端部に端板１１が設けられていて、前部の開口部１０側が後部の端板１１側より高くなる前上がりの傾斜状に配置されている。開口部１０と前記出入口８との間は、筒状をなすべローズ１２によって接続されている。
【００１１】
回転槽４は、水槽３と同様に、前端部に開口部１３が形成され、後端部に端板１４が設けられていて、前部の開口部１３側が後部の端板１４側より高くなる前上がりの傾斜状に配置されている。回転槽４の開口部１３の周縁部にはバランスリング１５が設けられている。回転槽４の開口部１３は、水槽３の開口部１０およびべローズ１２を介して前記出入口８に連通している。したがって、衣類などの洗濯物は、扉６を開放した状態で、出入口８、開口部１０および開口部１３を通して回転槽４内に出し入れされる。水槽３および回転槽４は、衣類を収容する収容室として機能するとともに、乾燥時の乾燥室としても機能する。扉６は透明であり、扉６を閉じた状態で、扉６の前方から回転槽４内の状態を透視することができる。
【００１２】
水槽３の後部の下部には、排水部１７が設けられている。排水部１７は、排水口１８、排水弁１９、および排水ホース２０から構成されている。排水弁１９が閉鎖された状態では、水槽３内に供給された水は当該水槽３内に貯留され、排水弁１９が開放されることに伴い、水槽３内の水は、排水口１８から排水弁１９および排水ホース２０を通り機外へ排出される。水槽３は、排気口２１および給気口２２を有している。排気口２１は、水槽３の筒状部分を構成する周壁にあって上部前寄り部分に設けられている。給気口２２は、水槽３の端板１１にあって当該端板１１の中心よりもやや上寄り部分に設けられている。排気口２１および給気口２２は、水槽３の内部と外部とを連通している。
【００１３】
回転槽４は、複数の孔２３を有している。孔２３は、円筒状の筒状部分を構成する周壁部および端板１４のほぼ全域に形成されている。孔２３は、洗濯運転時および脱水運転時には、主に水が出入りする通水孔として機能し、乾燥運転時には空気が出入りする通風孔として機能する。なお、図１では、図面簡単化のため複数の孔２３のうちの一部のみを示している。また、図示はされていないが、回転槽４には、筒状部分の内側に複数のバッフルが設けられている。バッフルは、回転槽４の回転に伴い、回転槽４内に収容された衣類（洗濯物）を持ち上げたり、撹拌したりする。
【００１４】
モータ５は、水槽３の背面にあって端板１１の中心部に設けられている。このモータ５は、例えばアウターロータ型のＤＣブラシレスモータである。モータ５のロータに連結された回転軸７は、水槽３の端板１１を貫通して水槽３内へ突出し、回転槽４の端板１４の中心部に連結固定されている。これにより、モータ５は、回転槽４をダイレクトに回転させる。
【００１５】
洗濯乾燥機１は、図３に示す給水装置２５を備えている。給水装置２５は、給水ケース２６、給水弁２７、および給水ホース２８などから構成されている。給水ホース２８は、一端が給水弁２７の入水口に接続され、他端が水道等の外部の水源に接続されている。給水弁２７の出水口は給水ケース２６に接続され、また、給水ケース２６の出水口は水槽３に接続されている。給水弁２７が開放されることに伴い、水源からの水が、給水ホース２８、給水弁２７および給水ケース２６を通して水槽３内へ供給される。図１に示すように、洗濯乾燥機１の前面の左上部には洗剤ケース２９が設けられている。この洗剤ケース２９は、前記給水ケース２６に対して前後方向へ引出し可能に設けられている。この洗剤ケース２９内に洗剤を投入しておくことで、その洗剤は、前記水槽３への給水時に水とともに水槽３内へ供給される。
【００１６】
洗濯乾燥機１は、図３および図４にも示すように循環風路３０を備えている。この循環風路３０は、外箱２内でかつ水槽３の外側において、一端部が前記給気口２２に接続されると共に他端部が前記排気口２１に接続されていて、前記排気口２１と給気口２２とを繋いでいる。具体的には、循環風路３０は、排気ダクト３１、フィルタ装置３２、接続ダクト３３、熱交換部３４、および給気ダクト３５から構成されている。このうち排気ダクト３１は、図２にも示すように、水槽３の排気口２１とフィルタ装置３２とを接続している。この排気ダクト３１は、例えば蛇腹状のホース有している。フィルタ装置３２は、外箱２の内側上部にあって、水槽３の上方に設けられている。フィルタ装置３２内には、フィルタ３６（図４参照）が設けられている。排気口２１から排気ダクト３１側へ排出された空気（排気）がフィルタ装置３２のフィルタ３６を通過する際に、その空気に含まれたリントなどの異物がフィルタ３６にて捕獲される。
【００１７】
フィルタ装置３２は、接続ダクト３３を介して熱交換部３４の上流側に接続されている。熱交換部３４は、外箱２内の下部にあって、水槽３の下方に設けられている。熱交換部３４は、内部を通過する空気を除湿および加熱することで乾燥した温風を生成する。熱交換部３４内には、蒸発器３７および凝縮器３８が設けられている。蒸発器３７は、乾燥運転時における熱交換部３４内の空気の流れに対して、凝縮器３８よりも上流側に配置されている。蒸発器３７および凝縮器３８は、熱交換部３４の外側に設けられた圧縮機３９および減圧装置４０とともに、ヒートポンプユニット４１を構成する。熱交換部３４内を通る空気は、蒸発器３７によって冷却され、これにより除湿される。蒸発器３７は除湿手段として機能する。蒸発器３７によって除湿された空気は、その後、凝縮器３８によって加熱されて温風となる。凝縮器３８は加熱手段として機能する。
【００１８】
ヒートポンプユニット４１は、圧縮機３９を基準とした冷媒の流れ方向に対して順に凝縮器３８、減圧装置４０、および蒸発器３７を、冷媒が通る配管を介して接続して構成されている。蒸発器３７および凝縮器３８は、例えば微小な間隔で設けられた多数のフィンを有する管で構成されており、この管の内部に冷媒を流すことで、フィン間を通る空気と冷媒との熱交換を行う。蒸発器３７および凝縮器３８は、熱交換器として機能する。圧縮機３９は、例えばインバータ制御によって駆動周波数が変化可能に構成されている。減圧装置４０は、この場合絞り開度が調整可能な電動膨張弁にて構成されている。
【００１９】
熱交換部３４の下流側は、給気ダクト３５を介して水槽３の給気口２２に接続されている。熱交換部３４と給気ダクト３５との接続部分には、送風機４２が設けられている。送風機４２のモータは、回転数が変更可能に構成されている。送風機４２が駆動されると、熱交換部３４内の空気を吸い込み、給気ダクト３５側へ吐出する。これにより、図２、図３、図４の矢印で示すように、水槽３および循環風路３０を循環する空気の流れが生じる。この場合、循環風路３０内の空気の流れについて見ると、排気口２１が最上流側となり、給気口２２が最下流側となる。
【００２０】
この構成において、乾燥運転のために圧縮機３９および送風機４２を駆動させると、熱交換部３４内で除湿および加熱された温風は、送風機４２の送風作用により、給気ダクト３５を介して給気口２２から水槽３内へ供給される。その後、温風は、主に回転槽４の端板１１における孔２３から回転槽４内へ入り、回転槽４内の衣類（洗濯物）から湿気を奪った後、主に周壁部の孔２３から回転槽４の外側へ出る。そして、湿気を含んだ空気は、排気口２１から循環風路３０へ流れ込む。循環風路３０へ流れ込んだ空気は、まず排気ダクト３１およびフィルタ装置３２を通過する。このとき、衣類から出て空気中に含まれるリントは、フィルタ装置３２内のフィルタ３６によって捕獲される。その後、接続ダクト３３を介して熱交換部３４へ流れる。このように、乾燥運転は、水槽３と循環風路３０との間で空気を循環させ、その空気を循環風路３０内で除湿および加熱することによって行われる。この場合、ヒートポンプユニット４１は、送風機４２と協働して衣類（被乾燥物）を乾燥させる乾燥手段として機能する。
【００２１】
図１において、洗濯乾燥機１における前面の上部には、扉６の上方に位置させて操作パネル４４が設けられ、扉６の右上方に位置させて扉６開放用の押釦４５が設けられている。操作パネル４４には、図５（ａ）にも示すように、例えば液晶パネルからなる表示部４６と、スタートキー４７と、このスタートキー４７の周囲に回転可能に設けられたダイヤル４８と、その他の複数の操作キー４９が設けられている。スタートキー４７、ダイヤル４８、操作キー４９は、それぞれ操作部を構成する。操作パネル４４は、表示部４６を備えた表示器として機能する。
【００２２】
洗濯乾燥機１は、図６に示すように、さらに制御装置５１、室温用温度センサ５３、給気側温度センサ５４、排気側温度センサ５５、圧縮機吐出側温度センサ５６、凝縮器温度センサ５７、蒸発器入口側温度センサ５８、蒸発器出口側温度センサ５９、水位センサ６０、扉スイッチ６１、モータ用電流センサ６２、ドアロック装置６３、ブザー６４などを備えている。制御装置５１は、マイクロコンピュータを主体に構成されたもので、洗濯乾燥機１の作動全般を制御する機能を備えていて、制御手段として機能する。
【００２３】
室温用温度センサ５３は、外箱２内に設けられていて、洗濯乾燥機１が設置された部屋の温度を検出する。給気側温度センサ５４は、図４に示すように、循環風路３０内において給気口２２の近傍に設けられていて、給気口２２近傍の空気の温度を検出する。この給気側温度センサ５４は、給気側温度検出手段として機能する。排気側温度センサ５５は、循環風路３０内において排気口２１の近傍に設けられていて、排気口２１近傍の空気の温度を検出する。この排気側温度センサ５５は、排気側温度検出手段として機能する。
【００２４】
圧縮機吐出側温度センサ５６は、圧縮機３９の冷媒の吐出側に設けられ、圧縮機３９から吐出される冷媒の温度を検出する。凝縮器温度センサ５７は、凝縮器３８に設けられていて、凝縮器３８の温度を検出する。蒸発器入口側温度センサ５８は、蒸発器３７の冷媒の入口付近に設けられていて、蒸発器３７に流入する冷媒の温度を検出する。蒸発器出口側温度センサ５９は、蒸発器３７の冷媒の出口付近に設けられていて、蒸発器３７から流出する冷媒の温度を検出する。蒸発器入口側温度センサ５８および蒸発器出口側温度センサ５９は、蒸発器３７の温度を検出する蒸発器温度検出手段として機能する。これら各温度センサ５３〜５９は、例えばサーミスタにより構成されていて、前記制御装置５１に接続されている。
【００２５】
水位センサ６０は、水槽３内に貯留される水の水位を検出する。扉スイッチ６１は、出入口８を開閉する前記扉６の開放および閉鎖を検知するもので、扉開放検知手段と扉閉鎖検知手段として機能する。これら水位センサ６０および扉スイッチ６１も制御装置５１に接続されている。モータ用電流センサ６２は、回転槽４を回転させるモータ５に流れる電流を検出するものであり、これも制御装置５１に接続されている。ドアロック装置６３は、ロック状態で扉６を閉鎖状態にロックし、ロック解除状態で扉６の開放を許容するもので、制御装置５１により制御される。ブザー６３は、運転終了時などに鳴動するように前記制御装置５１により制御される。
【００２６】
制御装置５１には、操作パネル４４におけるスタートキー４７、ダイヤル４８、その他の操作キー４９の信号、各温度センサ５３〜５９の信号、水位センサ６０、扉スイッチ６１、モータ用電流センサ６２などの信号が入力される。制御装置５１は、これらの入力信号と、予め備えた制御プログラムに基づき、操作パネル４４の表示部４６、モータ５、排水弁１９、給水弁２７、圧縮機３９、減圧装置４０、送風機４２、ドアロック装置６３、ブザー６４などを制御する機能を有している。制御装置５１は、この場合、後述するように、乾燥運転時に被乾燥物の乾燥度合を判定する乾燥度合判定手段としても機能する。
【００２７】
次に上記構成の作用を説明する。
衣類を回転槽４内に投入し、電源スイッチをＯＮした状態で、例えば洗濯〜乾燥まで行うコースを設定して実行する場合について説明する。乾燥まで行うコースを設定した場合、操作パネル４４の表示部４６には、図５（ａ）に示すように乾燥度合を段階的にレベル表示するレベル表示部６６が表示される。このレベル表示部６６には、乾燥率が７０％の手前から１００％より上の過乾燥状態まで表示されている。そして、通常は、レベル表示部６６には、乾燥終了時の乾燥率が１００％となるように表示される。使用者が乾燥終了時の乾燥率を変更したい場合には、表示部４６の右横に存するダイヤル４８を回転操作することで、希望する乾燥率となるように設定する。図５（ａ）は、例えばアイロン仕上げにするために乾燥終了時の乾燥率を９０％に設定した場合の例が示されている。図５において、便宜上、点灯した部分を斜線で示している。
【００２８】
使用者は、乾燥終了時の乾燥率を設定したら、スタートキー４７を押圧操作する。すると、制御装置５１は、まず室温用温度センサ５３により室温を検出し、この後、回転槽４内に収容された衣類の重量検出を行う。重量検出は、モータ５により回転槽４を予め設定された動作で回転させ、モータ５に流れる電流値をモータ用電流センサ６２により検出し、その検出値に基づき重量を判定する。制御装置５１とモータ用電流センサ６２は、重量検出手段として機能する。そして、制御装置５１は、室温用温度センサ５３の検出温度と、重量検出により検出した検出重量に基づき、運転終了（乾燥終了）までの目安時間（運転予測時間）を算出し、表示部４６に表示する。
【００２９】
そして、洗い、すすぎ、脱水の各行程が順に行われる。洗い行程では、まず給水弁２７を制御して水槽３内に給水する。このとき、洗剤ケース２９に投入した洗剤も水とともに水槽３内に供給される。水槽３内へ設定水位まで給水した後、モータ５により回転槽４を適宜回転させることで、回転槽４内の衣類が洗われる。洗い時間が終了すると、排水弁１９を制御して排水した後、中間脱水が行われる。中間脱水では、モータ５により回転槽４を一方向に高速回転させることで、衣類を遠心脱水する。この後、すすぎ行程が行われる。すすぎ行程では、洗剤を使用しない以外、洗い行程と同様に行われる。洗い行程は複数回行われる場合もある。すすぎ行程が終了すると、最終脱水行程が行われる。最終脱水行程は、中間脱水行程と同様に行われる。なお、表示部４６に表示された表示時間（残り時間）は、時間の経過に伴い減少していく。
【００３０】
そして、制御装置５１は、最終脱水の行程が終了すると、乾燥行程へ移行する。乾燥行程では、はじめに、再度回転槽４内の衣類の重量検出を行う。この重量検出も、洗い前の前記重量検出と同様に行われる。洗い前の重量検出で得られる重量は、通常、衣類が乾いた状態の乾布の重量であり、最終脱水後の重量検出で得られる重量は、衣類が湿った状態の湿布の重量である。制御装置５１は、洗い前の検出重量と最終脱水後の検出重量とを比較することに基づき、乾燥前の初期の脱水率を算出し、表示部４６におけるレベル表示部６６に初期値を表示する。初期値としては、例えば７０％の手前となる一番左のレベルのみ点灯される。
【００３１】
制御装置５１は、前記重量検出後、送風機４２、ヒートポンプユニット４１、およびモータ５を制御して乾燥行程を実行する。このうち、送風機４２の運転により、水槽３内の空気が循環風路３０を通して循環される。また、ヒートポンプユニット４１の圧縮機３９は、室温用温度センサ５３の検出温度に基づいて初期の周波数で駆動され、凝縮器３８などの温度が上昇し、凝縮器３８の温度が一定となるよう運転周波数が制御される。また、モータ５により回転槽４が低速度で正逆交互に回転されることで衣類が撹拌され、衣類が循環空気と接触して乾燥されるようになる。
【００３２】
図７には、乾燥行程における各部の温度変化と圧縮機３９の周波数の変化の一例が示されている。この図７において、Ｔ１は蒸発器出口側温度センサ５９の検出温度を示し、蒸発器出口側温度と称する。Ｔ２は蒸発器入口側温度センサ５８の検出温度を示し、蒸発器入口側温度と称する。Ｔ３は排気側温度センサ５５の検出温を示し、排気側温度と称する。Ｔ４は給気側温度センサ５４の検出温度を示し、給気側温度と称する。Ｔ５は凝縮器温度センサ５７の検出温度を示し、凝縮器温度と称する。Ｔ６は圧縮機吐出側温度センサ５６の検出温度を示し、圧縮機吐出側温度と称する。また、Ｈ１は圧縮機３９の運転周波数を示している。
【００３３】
図７に示すように、乾燥が進行すると、水槽３への入口側となる給気側温度Ｔ４は、凝縮器温度Ｔ５と同様に上昇し、やがてほぼ一定温度に保たれる。一方、水槽３の出口側となる排気側温度Ｔ３は給気側温度Ｔ４より遅れながら徐々に上昇し、給気側温度Ｔ４と排気側温度Ｔ３との間の温度差Ｓ１は徐々に小さくなる。この温度差Ｓ１は、凝縮器温度Ｔ５が設定温度に達したときほぼ最大値となる。この最大温度差からの減少度は衣類の乾燥率との相関関係があり、制御装置５１は、室温用温度センサ５３の検出温度と衣類重量毎の基準データと比較することで乾燥率（乾燥度合）を判定し、その乾燥率に応じたレベルを表示部４６のレベル表示部６６に表示する。
【００３４】
例えば、外気温が２０℃、衣類重量５ｋｇの場合において、前記給気側温度Ｔ４と排気側温度Ｔ３との間の温度差Ｓ１が、最大温度差から１０℃低下したら、乾燥率は９０％と判定する。また、乾燥率が１００％を超えた過乾燥域に達すると、除湿負荷が減少し、蒸発器温度（蒸発器入口側温度Ｔ２、蒸発器出口側温度Ｔ１）が低下する。この蒸発器入口側温度Ｔ２または蒸発器出口側温度Ｔ１の最高温度からの減少度についても同様に、外気温度と衣類重量毎の基準データと比較することによって乾燥率（乾燥度合）を判定し、その乾燥率に応じたレベルを表示部４６のレベル表示部６６に表示する。
【００３５】
つまり、過乾燥までは給気側温度Ｔ４と排気側温度Ｔ３との間の温度差Ｓ１の減少度で乾燥度合を判断し、過乾燥域では蒸発器温度（蒸発器入口側温度Ｔ２または蒸発器出口側温度Ｔ１）の減少度で乾燥度合を判断する。したがって、例えばアイロン仕上げに適した乾燥度合（例えば乾燥率９０％）で設定されていた場合には、制御装置５１は、その設定された乾燥度合となったと判断したときに乾燥運転を終了し、終了時にブザー６４を鳴動させて運転が終了したことを報知する。
【００３６】
また、例えば使用者が乾燥終了時の乾燥度合を、充分に乾燥させる過乾燥（通常の衣類に含まれる湿気をも除去した状態、即ち乾燥率が１００％を超えた乾燥）に設定していた場合において、使用者が一部の衣類を９０％程度の乾燥率で取り出したい場合には、表示部４６のレベル表示部６６の表示を見ることで現在の乾燥度合を把握できるので、途中で取り出す際の判断に利用することができる。なお、衣類の一部を途中で取り出す場合には、スタートキー４７を押圧操作すると、乾燥運転が一時停止となるとともに、ドアロック装置６３によるロック状態が解除される。この状態で押釦４５を押圧操作することで扉６を開放し、回転槽４内の衣類の一部を取り出すことができる。この後、扉６を閉鎖した状態でスタートキー４７を再度押圧操作することで、乾燥運転が再開され、設定された乾燥度合となるまで乾燥運転が行われる。
【００３７】
上記した実施形態によれば、次のような作用効果を得ることができる。
乾燥運転時において、衣類の乾燥度合が操作パネル４４の表示部４６に表示されるので、使用者はその表示を見ることで現在の乾燥度合を把握することができる。これにより、例えば一部の衣類をアイロン仕上げや部屋干しにしたい、あるいは縮み易い衣類が有る場合などに、使用者の好みの乾燥状態で取り出すことが可能になり、使い勝手の向上を図ることができるようになる。
【００３８】
使用者は、操作パネル４４において乾燥運転終了時の乾燥度合を設定することができる。このため、例えば念入りに乾燥して終了したい場合は最上限レベルに設定し、また、アイロン仕上げに適した状態で終了したい場合には、９０％前後のレベルに設定することで、使用者の好みの乾燥状態で終了することが可能になり、これによっても使い勝手の向上を図ることができる。また、乾燥運転終了時の乾燥度合の設定はダイヤル４８にて行うことができるので、乾燥度合を簡単な操作で設定することができる。
【００３９】
乾燥手段としては圧縮機３９、加熱手段を構成する凝縮器３８、除湿手段を構成する蒸発器３７を有するヒートポンプユニット４１を用い、給気口２２から乾燥室となる水槽３内へ供給される空気の温度を検出する給気側温度センサ５４と、排気口２１から循環風路３０側へ排出される空気の温度を検出する排気側温度センサ５５と、蒸発器３７の温度を検出する蒸発器入口側温度センサ５８および蒸発器出口側温度センサ５９と、を備え、乾燥度合を判定する制御装置５１は、給気側温度センサ５４の検出温度である給気側温度Ｔ４と排気側温度センサ５５の検出温度である排気側温度Ｔ３との間の温度差Ｓ１の減少度と、蒸発器入口側温度センサ５８の検出温度である蒸発器入口側温度Ｔ２または蒸発器出口側温度センサ５９の検出温度である蒸発器出口側温度Ｔ１の減少度に基づき、被乾燥物である衣類の乾燥度合を判定する構成とした。これによれば、衣類の乾燥度合を高い精度で判定することが可能となる。
【００４０】
（第２実施形態）
第２実施形態について、主に図８および図９を参照して説明する。この第２実施形態は、図８に示すように、送受信装置６８と携帯端末機６９を備えている点が第１実施形態とは異なっている。送受信装置６８は、制御装置５１に接続されている。制御装置５１は、送受信装置６８を介して携帯端末機６９との送受信が可能である。携帯端末機６９は、例えばタッチ入力操作が可能な表示部７０を備えていて、その表示部７０に、洗濯乾燥機１の運転状態の情報の表示が可能な構成となっている。また、携帯端末機６９から洗濯乾燥機１の運転条件の設定や修正操作も可能な構成となっている。携帯端末機６９は、乾燥運転時に乾燥度合を表示する表示器として機能する。
【００４１】
上記構成において、使用者が携帯端末機６９を保持していれば、洗濯乾燥機１から離れた場所にいても、その携帯端末機６９を操作して洗濯乾燥機１の運転状態の情報を表示部７０に表示させることで、洗濯乾燥機１の運転状態を把握することができる。例えば、洗濯乾燥機１の乾燥運転時には、携帯端末機６９の表示部７０に、図９に示すような表示がなされる。その表示部７０には、前記操作パネル４４の表示部４６に表示されたレベル表示部６６に対応するレベル表示部７１と、スタートキー４７に対応するスタートキー７２と、ダイヤル４８に対応するダイヤル７３が表示された例が示されている。ダイヤル７３は、タッチ式のダイヤルである。例えば使用者が乾燥率の設定を変更する場合に、手指をダイヤル７３の表示に接触させた状態で、当該ダイヤル７３に沿って周方向に移動させると、その操作方向に応じてレベル表示部７１の点灯箇所が変化するようになる。レベル表示部７１には、乾燥の進行に合わせて乾燥度合が順次点灯表示される。
【００４２】
したがって、使用者は、携帯端末機６９を持っていれば、洗濯乾燥機１から離れた場所にいても、現在の乾燥度合を把握することができる。洗濯乾燥機１で乾燥運転を行う場合、例えば室温（外気温）が低く、かつ衣類重量が多い条件では、最大で約５時間程度必要とする場合がある。このような場合において、希望する乾燥度合で一部の衣類を取り出したい場合等、洗濯乾燥機１から離れた場所にいても乾燥度合を確認して、例えば一時停止させておくことができる。このため、乾燥運転中でも安心して外出することが可能となり、使い勝手を一層向上させることができる。また、衣類を回転槽４内に収容して運転の準備をしておけば、外出先で携帯端末機６９を用いて、帰宅時間に合わせて乾燥が終了するように洗濯乾燥機１を設定することも可能となる。これによっても、使い勝手を一層向上させることができる。
この場合、洗濯乾燥機１の送受信装置６８と携帯端末機６９との間の送受信は、直接でもよいし、電話回線あるいはインターネットを介して行うようにすることもできる。
【００４３】
（第３実施形態）
第３実施形態について、主に図１０および図１１を参照して説明する。この第３実施形態は、図１０に示すように、圧縮機用電流センサ７５と、送風機用電流センサ７６を備え、制御装置７７が、圧縮機３９と送風機４２の合計積算電力量を検出する合計積算電力量検出手段として機能する点に特徴を有している。圧縮機用電流センサ７５は、圧縮機３９に流れる電流を検出し、その検出信号を制御装置７７に出力する。また、送風機用電流センサ７６は、送風機４２に流れる電流を検出し、その検出信号を制御装置７７に出力する。
【００４４】
制御装置７７は、乾燥運転時において、圧縮機用電流センサ７５の検出信号と、圧縮機３９に印加される電圧と、圧縮機３９の駆動時間に基づき、圧縮機３９の積算電力量を検出する機能を備えている。また、制御装置７７は、乾燥運転時において、送風機用電流センサ７６の検出信号と、送風機４２に印加される電圧と、送風機４２の駆動時間に基づき、送風機４２の積算電力量を検出する機能も備えている。そして、制御装置７７は、乾燥運転時において、圧縮機３９の積算電力量と送風機４２の積算電力量を合計してこれら圧縮機３９と送風機４２の合計積算電力量を検出する合計積算電力量検出手段として機能する。
【００４５】
図１１には、室温２０℃時における乾燥率と、上記圧縮機３９と送風機４２の合計積算電力量の関係の一例が、衣類重量毎に示されている。制御装置７７は、このようなデータテーブルを備えている。例えば衣類重量が４ｋｇの場合、圧縮機３９と送風機４２の合計積算電力量が１２００Ｗｈであれば乾燥率は９０％であると判定し、合計積算電力量が１３００Ｗｈであれば乾燥率は９５％であると判定する。制御装置７７は、乾燥運転時における前記合計積算電力量に基づいて衣類（被乾燥物）の乾燥度合を判定する乾燥度合判定手段として機能する。
【００４６】
制御装置７７は、乾燥運転時において、圧縮機３９の積算電力量と送風機４２の積算電力量とを合計して合計積算電力量を算出し、この合計積算電力量と、図１１のデータに基づき、乾燥率を判定し、その判定結果を操作パネル４４における表示部４６にレベル表示する。
【００４７】
このような実施形態においても、第１実施形態と同様な作用効果を得ることができる。
一般に、最終脱水時に衣類の一部が回転槽４の内面に張り付き、この状態のまま乾燥が行われると、その張り付いた部分が未乾燥状態で乾燥運転が終了することがある。この場合、衣類の一部が回転槽４の内面に張り付いていると、回転槽４内を流れる循環空気は衣類との接触面積が少なく、除湿負荷が減少することで圧縮機３９の入力が減少することになり、上記したように一部が未乾燥状態のままで乾燥運転が終了することがある。この点、本実施形態によれば、圧縮機３９と送風機４２の合計積算電力量に基づいて乾燥度合を判定して表示することで、一部の衣類が張り付いた状態であっても、乾燥度合の判定の誤差を抑えることが可能となる。
【００４８】
（第４実施形態）
第４実施形態について説明する。この第４実施形態では、回転槽４内の衣類の重量を検出する重量検出手段の検出重量の変化に基づいて被乾燥物（衣類）の乾燥度合を判定する点が第１実施形態とは異なっている。
【００４９】
制御装置５１は、洗濯〜乾燥まで行うコースを設定した場合、洗い行程の前に１回目の重量検出を行う。このときの衣類は通常は乾布の状態であり、このときの検出重量は乾布状態の重量とみることができる。そして、制御装置５１は、最終脱水後の乾燥行程前に２回目の重量検出を行う。このときの衣類は湿布の状態であり、このときの検出重量は湿布状態での重量とみることができる。そして、制御装置５１は、乾燥行程中において、重量検出動作を複数回行う。このとき、乾燥率が低い場合はモータ５のトルクが大きいことから、モータ５の電流値が大きくなる。乾燥が進行すると、衣類重量の減少に応じてモータ５の電流値も減少する。乾燥行程の後半では、乾燥が進み、衣類は乾布に近い状態に変化する。したがって、１回目の検出重量と、２回目の検出重量と、３回目以降の乾燥行程中の検出重量の変化に基づき、乾燥度合を判定することが可能になり、この判定結果を操作パネル４４の表示部４６に表示する。
この実施形態においても第１実施形態と同様な作用効果を得ることができる。
【００５０】
（第５実施形態）
第５実施形態について、図１２を参照して説明する。この第５実施形態は、水槽３の前部の下部に反射型の赤外線センサ８０を設けた点に特徴を有している。赤外線センサ８０は、赤外線を発光する発光素子と、赤外線を受光する受光素子を有していて、先端の検出部が回転槽４内に向くように取り付けられている。この場合、赤外線センサ８０は、回転槽４が反転する際（正転から逆転へ反転する際、逆転から正転へ反転する際）の回転速度が「０」のタイミングで衣類から至近距離で測定するため、水槽３の前部の下部に設置している。この赤外線センサ８０の検出信号も制御装置５１に出力される。
【００５１】
制御装置５１は、乾燥行程中において、赤外線センサ８０を用いて光学的に衣類（布）に含まれる水分量を検出し、これに基づき衣類の乾燥度合（乾燥率）を判定する。衣類に含まれる水分量が多いと吸収される光エネルギーも大きくなる現象を応用して、水分量から乾燥度合（乾燥率）を判定するものである。
【００５２】
この実施形態においては、例えばヒートポンプユニット４１に冷媒漏れが生じた場合、あるいは蒸発器３７への着霜によって通常の除湿乾燥の障害が発生しても、水分量を直接的に検出して乾燥度合を判定するため、判定の誤差を抑えることが可能となる。
【００５３】
（その他の実施形態）
乾燥度合判定手段としては、第１実施形態における給気側温度センサ５４の検出温度である給気側温度Ｔ４と排気側温度センサ５５の検出温度である排気側温度Ｔ３との間の温度差Ｓ１の減少度と、蒸発器入口側温度センサ５８の検出温度である蒸発器入口側温度Ｔ２または蒸発器出口側温度センサ５９の検出温度である蒸発器出口側温度Ｔ１の減少度、第３実施形態における圧縮機３９と送風機４２の合計積算電力量、第４実施形態における検出重量の変化、および第５実施形態における赤外線センサ８０による水分量の検出データのうち、複数のデータを組み合わせて乾燥度合を判定する構成とすることも可能である。
【００５４】
乾燥手段において、加熱手段は発熱するヒータでもよく、また、除湿手段は水冷式あるいは空冷式の熱交換器でもよい。
洗濯乾燥機としては、ドラム式に限られず、水槽および回転槽の軸線方向が上下方向となる縦軸型の洗濯乾燥機にも適用できる。また、衣類乾燥機としては、洗濯機能がないものにも適用できる。
【００５５】
以上のように本実施形態の衣類乾燥機によれば、乾燥運転時において、衣類の乾燥度合が表示器に表示されるので、使用者はその表示を見ることで現在の乾燥度合を把握することができる。これにより、例えば一部の衣類をアイロン仕上げや部屋干しにしたい、あるいは縮み易い衣類が有る場合などに、使用者の好みの乾燥状態で取り出すことが可能になり、使い勝手の向上を図ることができるようになる。
【００５６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５７】
図面中、１は洗濯乾燥機（衣類乾燥機）、２は外箱、３は水槽（乾燥室）、４は回転槽（乾燥室）、２１は排気口、２２は給気口、３０は循環風路、３７は蒸発器（除湿手段）、３８は凝縮器（加熱手段）、３９は圧縮機、４１はヒートポンプユニット（乾燥手段）、４２は送風機、４４は操作パネル（表示器）、４６は表示部、４８はダイヤル、５１は制御装置（制御手段、乾燥度合判定手段、重量検出手段）、５３は室温用温度センサ、５４は給気側温度センサ（給気側温度検出手段）、５５は排気側温度センサ（排気側温度検出手段）、５８は蒸発器入口側温度センサ（蒸発器温度検出手段）、５９は蒸発器出口側温度センサ（蒸発器温度検出手段）、６２はモータ用電流センサ（重量検出手段）、６６はレベル表示部、６９は携帯端末機（表示器）、７１はレベル表示部、７５は圧縮機用電流センサ、７６は送風機用電流センサ、７７は制御装置（制御手段、乾燥度合判定手段、重量検出手段、合計積算電力量検出手段）、８０は赤外線センサを示す。
【図１】
2014100174.tif 000003
【図２】
2014100174.tif 000004
【図３】
2014100174.tif 000005
【図４】
2014100174.tif 000006
【図５】
2014100174.tif 000007
【図６】
2014100174.tif 000008
【図７】
2014100174.tif 000009
【図８】
2014100174.tif 000010
【図９】
2014100174.tif 000011
【図１０】
2014100174.tif 000012
【図１１】
2014100174.tif 000013
【図１２】
2014100174.tif 000014